(57)【要約】【課題】初心者であっても容易に音を発する対象物を撮影することができるカメラを提供する。【解決手段】ズームマイク３１−１，３１−２，３１−３，３１−４で対象物の音を捉える。ズームマイク３１−１〜３１−４で捉えた音のレベルに基づいて対象物の位置を特定し、対象物の位置や方向をファインダ１５に表示する。【選択図】図３
2007208866.tif 000002
【特許請求の範囲】
【請求項１】
複数の集音手段と、
前記集音手段で検出された音情報に基づいて音源の位置を特定する制御手段と
を備えていることを特徴とするカメラ。
【請求項２】
前記集音手段の集音範囲を変化させる集音制御手段を備えていることを特徴とする請求項１記載のカメラ。
【請求項３】
前記集音制御手段はレンズの焦点距離に応じて前記集音手段の集音範囲を変化させることを特徴とする請求項２記載のカメラ。
【請求項４】
所定の音情報を予め記憶する記憶手段を備えていることを特徴とする請求項１〜３のいずれか１項記載のカメラ。
【請求項５】
前記集音手段で検出された音と前記記憶手段に記憶された音情報との比較結果に基づいて前記音源を特定する特定手段を備えていることを特徴とする請求項４記載のカメラ。
【請求項６】
撮影画像を表示する表示手段を備え、該表示手段は前記特定された音源に関する情報を前記撮影画像中に表示することを特徴とする請求項１〜５のいずれか１項記載のカメラ。
【発明の詳細な説明】
【技術分野】
【０００１】
この発明はカメラに関する。
【背景技術】
【０００２】
従来、特開平６−１６１３５０号公報に記載された光学機器が知られている。この光学機器は、マイクから検出された鳥の音を処理する処理手段と、複数の鳥の音に関する情報を予め記憶する第１記憶手段と、処理手段で処理された音と記憶手段に記憶された音とを比較してマイクで検出された音を発した鳥の種類を判別する判別手段とを備えている。
【特許文献１】特開平６−１６１３５０号公報
【発明の開示】
【発明が解決しようとする課題】
【０００３】
森や林の中で特定の種類の鳥を観察したり撮影したりする場合、上記光学機器を使用したとしても、複数の種類の鳴き声から観察・撮影対象の鳥の位置を特定するのは困難であった。
【０００４】
この発明はこのような事情に鑑みてなされたもので、その課題は初心者であっても容易に音を発する対象物を撮影することができるカメラを提供することである。
【課題を解決するための手段】
【０００５】
前述の課題を解決するため請求項１記載の発明は、複数の集音手段と、前記集音手段で検出された音情報に基づいて音源の位置を特定する制御手段とを備えていることを特徴とする。
【０００６】
請求項２記載の発明は、請求項１記載のカメラにおいて、前記集音手段の集音範囲を変化させる集音制御手段を備えていることを特徴とする。
【０００７】
請求項３記載の発明は、請求項２記載のカメラにおいて、前記集音制御手段はレンズの焦点距離に応じて前記集音手段の集音範囲を変化させることを特徴とする。
【０００８】
請求項４記載の発明は、請求項１〜３のいずれか１項記載のカメラにおいて、所定の音情報を予め記憶する記憶手段を備えていることを特徴とする。
【０００９】
請求項５記載の発明は、請求項４記載のカメラにおいて、前記集音手段で検出された音と前記記憶手段に記憶された音情報との比較結果に基づいて前記音源を特定する特定手段を備えていることを特徴とする。
【００１０】
請求項６記載の発明は、請求項１〜５のいずれか１項記載のカメラにおいて、撮影画像を表示する表示手段を備え、該表示手段は前記特定された音源に関する情報を前記撮影画像中に表示することを特徴とする。
【発明の効果】
【００１１】
この発明によれば、初心者であっても容易に音を発する対象物を撮影することができる。
【発明を実施するための最良の形態】
【００１２】
以下、この発明の実施の形態を図面に基づいて説明する。
【００１３】
図１はこの発明の一実施形態に係るカメラの正面図である。
【００１４】
このカメラはカメラ本体１０と鏡筒２０（図２（ａ）参照）とフード３０とを備えている。
【００１５】
フード３０は鏡筒２０に取外し可能に装着されている。フード３０の外周面には９０°の間隔をおいて４つのズームマイク（集音手段）３１−１，３１−２，３１−３，３１−４が配置されている。ズームマイク３１−１〜３１−４はズームマイク機能（ズーム操作に連動してマイクの指向角と音のレベルとを変えて集音する機能）を有する。
【００１６】
図２（ａ）はカメラの側面図、図２（ｂ）は撮影範囲と集音範囲との関係を説明する図である。
【００１７】
鏡筒２０内にはズームレンズ２２（図３参照）や絞り（図示せず）が配置されている。ズームレンズ２２を介して取り込まれた像は表示装置（表示手段）１２（図３参照）に表示される。また、表示手段として光学ファインダ１５（図７）内にＬＥＤ表示装置（図示せず）が設けられている。特定のＬＥＤを点灯させてファインダ１５の画面中に音源の位置や方向を表示する。
【００１８】
ズームマイク３１−１〜３１−４とカメラ本体１０との間にはケーブル３５が敷設されている。ズームマイク３１−１〜３１−４で捉えられた音情報がケーブル３５を介してカメラ本体１０へ伝送される。
【００１９】
図２（ｂ）に示すように、ズームマイク３１−１〜３１−４の集音範囲Ｒと撮影範囲１２Ａとは重なっており、撮影範囲１２Ａから発せられる音はズームマイク３１−１〜３１−４によって集音される。ズームマイク３１−１では上方からの音に対する感度が、ズームマイク３１−２では下方からの音に対する感度が、ズームマイク３１−３，３１−４では左右方向からの音に対する感度がそれぞれ高い。そのため、例えばズームマイク３１−１，３１−２，３１−４の捉えた音のレベルがズームマイク３１−３で捉えた音のレベルより低い場合、ズームマイク３１−３の集音方向に対象物がいることがわかる。なお、ズームマイク３１−１〜３１−４の集音範囲が重なった部分ＲＣが集音レベルの等しい領域である。
【００２０】
図３はこの発明の一実施形態に係るカメラの構成を説明するためのブロック図である。
【００２１】
このカメラはズームレンズ２２とズームマイク３１−１，３１−２，３１−３，３１−４とマイク回路１１と表示装置１２と記憶装置（記憶手段）１３とＣＰＵ（Ｃｅｎｔｒａｌ  Ｐｒｏｃｅｓｓｉｎｇ  Ｕｎｉｔ）１４とを備えている。
【００２２】
ズームレンズ２２は鏡筒２０内に配置され、レンズを動かして焦点距離を変化させることにより光学的に像を拡大する。
【００２３】
ズームマイク３１−１〜３１−４の特性についてはワイド側ではステレオ指向性が働き、望遠側にするほど対象物の音を鋭く捉えるモノラル的な正面指向性が働く。ズームマイク３１−１〜３１−４は集音した音のレベルに応じた電圧信号を出力する。
【００２４】
マイク回路１１と表示装置１２と記憶装置１３とＣＰＵ１４とはカメラ本体１０に設けられている。
【００２５】
マイク回路１１はズームマイク３１−１〜３１−４から出力された電圧信号をそれぞれ対応するデジタル信号へ変換し、集音レベル等の信号としてＣＰＵ１４へ供給する。
【００２６】
表示装置１２にはズームレンズ２２を介して取り込まれた像とともに、撮影対象（音源）に関する情報（例えば音源の方向、位置）が表示される。
【００２７】
記憶装置１３は場所、季節等によって分類される限られた対象物（例えば鳥）の音情報が予め記憶されるメモリである。記憶装置１３はＩＣメモリカードやＲＯＭ（Ｒｅａｄ  Ｏｎｌｙ  Ｍｅｍｏｒｙ）等で構成される。
【００２８】
ＣＰＵ１４は例えばワンチップマイクロコンピュータ等からなる。ＣＰＵ１４は、レンズのズーム機能に連動してズームマイク３１−１〜３１−４の集音範囲を変化させる集音制御手段、所定の処理制御プログラムに基づいて集音レベルを解析し、後述のように音源の方向、位置を特定する制御手段、ズームマイク３１−１〜３１−４で検出された音と記憶装置１３に記憶された音情報との比較結果に基づいて音源を特定する特定手段として機能する。
【００２９】
次に、対象物の撮影方法を説明する。
【００３０】
図４は撮影者と鳥との位置関係を説明する図である。
【００３１】
森や林には複数の種類の対象物（例えば鳥）が生息している。そのため、森や林に入った撮影者Ｍには色々な方向から各種の鳥の鳴き声が聞こえる。例えば図３に示すように、３方向から異なる鳥の声が聞こえてくることがある。しかし、鳥Ｂ１、Ｂ２、Ｂ３の姿は木Ｗに隠れ、撮影者Ｍは目で鳥Ｂ１、Ｂ２、Ｂ３の姿を確認することは困難である。
【００３２】
図５は対象物の撮影方法を説明するためのフローチャート、図６（ａ）はズームマイク機能を働かせたときのカメラの側面図、図６（ｂ）はそのときの撮影範囲と集音範囲との関係を説明するための図である。なお、図５においてＳ１〜Ｓ４は各ステップを示す。
【００３３】
カメラを対象物の方向へ向け、ズームレンズ２２のズーム機能を働かせて図２（ｂ）に示す撮影範囲１２Ａを図６（ｂ）に示す撮影範囲１２Ｂに変化させる。
【００３４】
焦点距離の変化に応じてズームマイク３１−１〜３１−４の集音範囲がＲからＲ２に（ワイド側から望遠側へ）変化する（図６（ｂ）参照）。その結果、対象物を探索する範囲が絞り込まれる。
【００３５】
まず、ズームマイク３１−１〜３１−４で対象物の音を捉える（Ｓ１）。
【００３６】
次に、ズームマイク３１−１〜３１−４で捕らえられた対象物の音情報についてＣＰＵ１４でそれぞれの集音レベルの解析を行う（Ｓ２）。
【００３７】
解析の結果、音源（対象物）の位置や方向が特定される（Ｓ３）。
【００３８】
その後、音源の位置や方向をファインダ１５（図７）の画面中に表示する（Ｓ４）。この表示がズームマイク３１−１〜３１−４の集音範囲の重なる部分ＲＣに来るようにカメラの向きを調節する。
【００３９】
音源の位置は例えば以下のように示される（図７参照）。
【００４０】
図７（ａ），（ｂ）は音源の位置を指示する方法の例を示す図である。
【００４１】
図７（ａ）は光学ファインダの画面中の対象物の位置Ｐ１にＣＰＵ１４からの制御信号に基づいてＬＥＤ表示装置の特定のＬＥＤを点灯させた状態を示す図、図７（ｂ）は図示しないＤＳＰ（Ｄｉｇｉｔａｌ  Ｓｉｇｎａｌ  Ｐｒｏｃｅｓｓｏｒ）からの制御信号に基づいて光学ファインダの画面中の対象物の位置Ｐ１に矢印を表示した状態を示す図である。なお、図７（ｂ）の矢印を例えばファインダ１５の画面の左端に表示させて対象物が矢印で示された方向にいることを指示させることもできる。
【００４２】
この実施形態によれば、ズームマイク３１−１〜３１−４のそれぞれの音レベルに基づいて対象物の位置を特定するので、初心者であっても容易に対象物を撮影することができる。
【００４３】
なお、予め対象となる鳥の鳴き声を記憶装置１３に音情報として記憶させておき、ズームマイク３１−１〜３１−４で捉えた対象物の音とをＣＰＵ１４を用いて比較し対象物である鳥を識別するようにしてもよい。このようにすることによって、対象物の識別が簡単になり、初心者であってもより容易に対象物を撮影することができるようになる。例えばズームマイク３１−１〜３１−４で捉えた対象物の音信号の周波数特性と予め記憶装置１３に記憶された鳥の鳴き声の周波数特性とを比較することによって対象物である鳥を識別することができる。
【図面の簡単な説明】
【００４４】
【図１】図１はこの発明の一実施形態に係るカメラの正面図である。
【図２】図２（ａ）はカメラの側面図、図２（ｂ）は撮影範囲と集音範囲との関係を説明する図である。
【図３】図３はこの発明の一実施形態に係るカメラの構成を説明するためのブロック図である。
【図４】図４は撮影者と鳥との位置関係を説明する図である。
【図５】図５は対象物の撮影方法を説明するためのフローチャートである。
【図６】図６（ａ）はズームマイク機能を働かせたときのカメラの側面図、図６（ｂ）はそのときの撮影範囲と集音範囲との関係を説明するための図である。
【図７】図７（ａ），（ｂ）は音源の位置を指示する方法の例を示す図である。
【符号の説明】
【００４５】
１２：表示装置（表示手段）、１３：記憶装置（記憶手段）、１４：ＣＰＵ（制御手段、集音制御手段、特定手段）、１５：ファインダ、３１−１，３１−２，３１−３，３１−４：ズームマイク（集音手段）、Ｒ、Ｒ１、Ｒ２、Ｒ３、Ｒ４：集音範囲。
【図１】
2007208866.tif 000003
【図２】
2007208866.tif 000004
【図３】
2007208866.tif 000005
【図４】
2007208866.tif 000006
【図５】
2007208866.tif 000007
【図６】
2007208866.tif 000008
【図７】
2007208866.tif 000009